(57)【特許請求の範囲】
【請求項１】
一端に注射筒挿入用開口部を有する注射筒嵌挿用有底筒状体の底壁略中央部から注射筒挿入用開口部に至る側壁に、切欠開口部を形設すると共に、当該底壁略中央部の切欠開口部端縁に、嵌挿される注射筒と同一軸線上に注射器用器具を保持するルアーホルダー部を突設し、かつ当該ルアーホルダー部がその上面に、該切欠開口部に連通する断面半円状乃至Ｕ字状を呈する注射器用器具のルアー部嵌合用凹所を備えていることを特徴とするルアーホルダー付き注射筒ガイド。
【請求項２】
筒状体底壁に於ける切欠開口部の開口巾が、ルアーホルダー部に向って徐々に狭小となっていることを特徴とする請求項１記載のルアーホルダー付き注射筒ガイド。
【請求項３】
ルアーホルダー部の基部両側の筒状体底壁に、切欠開口部縁と連続する切り込みを形設したことを特徴とする請求項１又は２記載のルアーホルダー付き注射筒ガイド。
【請求項４】
ルアーホルダー部の基部側内周壁に、注射器用器具のルアー鍔部を嵌合挟持する凹溝を形設したことを特徴とする請求項１又は２記載のルアーホルダー付き注射筒ガイド。
【発明の詳細な説明】
【０００１】
【発明の属する技術分野】
本発明は注射筒ガイド、更に詳細には一般の注射針を初めとする両刃針や三方活栓等の注射器用器具を、迅速・確実かつ安全に注射器先部に嵌合装着するための補助具たるルアーホルダー付き注射筒ガイドに関する。
【０００２】
【従来の技術】
注射器先部に嵌合装着して使用する注射器用器具としては、一般の注射針を初めとして、両刃針、針付きダブルルアー、三方活栓、針付き三方活栓等数多くの種類があり、大きな病院ほど一日の取り扱い数量も増大する。
【０００３】
而して、これらの器具の注射器への装着は、該器具と注射筒を同一軸線上に向きを合わせてから、注射器先部をこれらの器具のルアーに注意深く嵌入することにより行なわれている。然しながら、これらの装着操作は短時間に手際良く行なう必要があるところ、狭小部分の嵌合操作であるため必ずしも容易ではなく、特に上記の如く取り扱い数量が多い場合や必要量を予めまとめて行なう場合には、かなりの手間と時間を要することはもとより往々にして手指等への針刺し事故を招き易いと云う問題があった。
【０００４】
【発明が解決しようとする課題】
本発明は上記の如き従来の問題に鑑みてなされたものであり、注射針等の注射器用器具を迅速・確実かつ安全に注射器先部に嵌合装着することのできる補助具たる注射筒ガイドを提供することを目的とする。
【０００５】
【課題を解決するための手段】
上記目的を達成するために、本発明注射筒ガイドは、一端に注射筒挿入用開口部を有する注射筒嵌挿用有底筒状体の底壁略中央部から注射筒挿入用開口部に至る側壁に、切欠開口部を形設すると共に、当該底壁略中央部の切欠開口部端縁に、嵌挿される注射筒と同一軸線上に注射器用器具を保持するルアーホルダー部を突設し、かつ当該ルアーホルダー部がその上面に、該切欠開口部に連通する断面半円状乃至Ｕ字状を呈する注射器用器具のルアー部嵌合用凹所を備えていることを特徴としている。
【０００６】
【発明の実施の形態】
以下本発明の実施の形態を示す図面と共に本発明を更に説明する。
【０００７】
１０は合成樹脂製の注射筒嵌挿用有底筒状体で、一端に注射筒挿入用開口部１１を有しており、内部に注射筒を嵌挿保持するものである。
【０００８】
１２は切欠開口部で、筒状体１０の底壁１０ａ略中央部から注射筒挿入用開口部１１に至る側壁１０ｂに、軸方向に沿って形設されており、当該切欠開口部１２を通じて両刃針２０や三方活栓３０等の注射器用器具の基端部側を筒状体１０内に没入しつつ当該ルアー部２１、３１を後述のルアーホルダー部１３に嵌合装着し得るようになっている。また、該切欠開口部１２の存在により、当該ルアー部２１、３１と注射器先部との嵌合状態の目視確認と、当該部分からの薬液漏れの有無の目視確認も可能となるので、安心して投与操作を行なうことができる。更に、薬液が放射性物質を含む場合には、一般に側壁に鉛ガラス製窓部が突設された放射線遮蔽筒に注射器を挿入して投与するが、当該切欠開口部１２の存在により、前記鉛ガラス製窓部は何ら支障となることなく、注射器を放射線遮蔽筒に挿入した状態のまま筒状体１０に挿入使用できる。
【０００９】
切欠開口部１２の開口巾は、注射器用器具の基部が没入し得る巾であれば、前記目視確認に要する巾や鉛ガラス製窓部の巾を考慮して適宜選定し得るが、底壁１０ａに於ける開口巾は、側壁１０ｂに於ける開口巾に比し、後述のルアーホルダー部１３に向って徐々に狭小となるように形成するのが、底壁１０ａの残壁部と両刃針２０や三方活栓３０等の注射器用器具のルアー鍔部２１ａ、３１ａとの係止により、より強固なルアー部２１、３１の固定作用を得る上で有利である。
【００１０】
１３はルアーホルダー部で、筒状体１０の底壁１０ａ略中央部の切欠開口部１２端縁に突設せられ、その上面に該切欠開口部１２に連通する断面半円状乃至Ｕ字状を呈する注射器用器具２０、３０のルアー部２１、３１嵌合用凹所１３ａを備えており、該嵌合用凹所１３ａの有する軸線と直交する方向に対するロック機能により、両刃針２０や三方活栓３０等の注射器用器具を、筒状体１０に嵌挿される注射筒と同一軸線上に、安定かつ確実に嵌合保持するようになっている。
【００１１】
ルアーホルダー部１３は、両刃針２０や三方活栓３０等の注射器用器具のルアー部２１、３１の外径と対応した内径を有する上記の如き嵌合用凹所１３ａを有するものであれば、その形態自体は円柱状、角柱状等その如何を問わないが、半筒体状とするのが、弾発嵌合作用を得る上で有利である。この場合、ルアーホルダー部１３の基部両側の筒状体底壁１０ａに、切欠開口部１２縁と連続する切り込み１４を形設すれば、更に優れた弾発嵌合作用が得られると共に、軸線方向に対するロック機能により、確実なる保持が可能となるので、注射器用器具との着脱操作性により良い結果が得られる。
【００１２】
また、上記切り込み１４に代え、図６及び７に示す如く、ルアーホルダー部１３の基部側嵌合用凹所１３ａ内周壁に、注射器用器具のルアー鍔部２１ａ、３１ａを嵌合挟持する断面略半円状の凹溝１３ｂを形設すれば、当該ルアー部２１、３１と共に、ルアー鍔部２１ａ、３１ａをもより強固に挟持固定し得るので、離脱のおそれがなく、注射器用器具の着脱操作をよりスムースに行なうことができる。尚、この場合、当該凹溝１３ｂの深さは、ルアー鍔部２１ａ、３１ａの突出長に対応せしめて選定され、また当該凹溝１３ｂの前方のルアーホルダー部１３ｘと後方のルアーホルダー部１３ｙは、断面同一形状としても良いが、図８に示す如く、前方のルアーホルダー部１３ｘに比し、後方のルアーホルダー部１３ｙがルアー鍔部２１ａ、３１ａとの接触面積がより大きくなるような形状とするのが、ルアー鍔部２１ａ、３１ａの離脱を防止し、サンドイッチ状に挟持する上で望ましい。
【００１３】
次に、斯かる実施の形態に斯かる本発明注射筒ガイドの使用法を説明する。
【００１４】
図１及び図２は両刃針２０の装着例を示すもので、先ず未使用の両刃針２０を収納している針キャップ２５からカバー部（図示省略）を外し、ルアー部２１の注射器側用基部と針２２を露出せしめる（図１）。次いで、当該針キャップ２５を持ち、ルアー部２１の基部を筒状体１０のルアーホルダー部１３の嵌合用凹所１３ａに、図１の矢印の方向、すなわちルアー部２１の軸線と直交する方向から軽く押し込めば、針２２と共に切欠開口部１２を通過してルアー部２１の基部が当該嵌合凹所１３に嵌合固定され、針２２は筒状体１０でカバーされた状態となる（図２）。斯かる状態で、必要とする薬液の入った注射器（図示省略）を、注射筒挿入用開口部１１から挿入し、注射器先部をルアー部２１に嵌入すれば、同一軸線上に位置しているので、両刃針２０が注射器に装着される。而して、投与する際には常法に従い針キャップ２５を外し、針２３を露出せしめるが、筒状体１０はこれを付けたまま投与操作することができる。尚、廃棄処分とする場合には、針２３に針キャップ２５を被せてから、注射器を筒状体１０、すなわち両刃針２０から引き抜き、図１の矢印とは反対方向に力を加えて両刃針２０のルアー部２１を筒状体１０の嵌合用凹所１３ａから外して処理する。
【００１５】
図３及び図４は三方活栓３０の装着例を示すもので、先ず未使用の三方活栓３０を収納している袋（図示省略）を開披して、内部の三方活栓３０を取り出す（図３）。次いで、ルアー部３１が手指から外方に突出するように持ち、ルアー部３１の注射器側用基部を筒状体１０のルアーホルダー１３の嵌合用凹所１３ａに、図３の矢印方向、すなわちルアー部３１の軸線と直交する方向から軽く押し込めば、前記した両刃針と同様ルアー部３１が嵌合用凹所１３ａに嵌合固定されるので、注射筒挿入用開口部１１から薬液の入った注射器（図示省略）を挿入することにより、該注射器先部がルアー部３１に嵌入し、三方活栓３０が装着される。以下、投与や廃棄は前記した両刃針の例と同様に取り扱われる。
【００１６】
【発明の効果】
本発明によれば、一般の注射針を初め、両刃針や三方活栓等の注射器用器具を、一旦注射筒ガイドに保持することにより、当該各器具のルアー部に比し、大径の注射筒挿入用開口部を利用して注射器先部に装着することが可能なため、当該各器具を直接注射器先部に装着していた従来に比し、かなり手早くスムースに、かつ確実に当該装着操作を行なうことができる。
【００１７】
しかも、本発明によれば、両刃針等の針付き注射器用器具の場合であっても、その軸線とは直交する方向に当該器具を移動せしめて、換言すれば針の突出方向には移動せしめずに筒状体に嵌合保持せしめるものであるため、筒状体への装着に際しての針刺し事故は未然に防止される。また、当該筒状体に嵌合保持された針付き注射器用器具の注射器装着側の針は、筒状体でカバーされた状態となっているため、注射器先部への装着の際に於ける針刺し事故も未然に防止することができ、極めて安全に当該器具の注射器への装着操作を行なうことができる。
【００１８】
更にまた、特に三方活栓の切替え操作の際に於ては、本発明によれば、ルアーホルダー部が介在し、装着部が補強された状態となっているため、従来のように注射器先部（ルアー部嵌合部）に直接力が加わることがないので、離脱や破損の恐れがなく、安心して手早く当該切替え操作を行なうことができる。
【図面の簡単な説明】
【図１】本発明注射筒ガイドと両刃針の分離斜視説明図。
【図２】本発明注射筒ガイドに両刃針を嵌合保持せしめた状態の斜視説明図。
【図３】本発明注射筒ガイドと三方活栓の分離斜視説明図。
【図４】本発明注射筒ガイドに三方活栓を嵌合保持せしめた状態の斜視説明図。
【図５】本発明注射筒ガイドの底壁部を示す正面説明図。
【図６】  ルアーホルダー部の拡大斜視説明図。
【図７】  図６に於けるＩ−Ｉ線断面説明図。
【図８】  （１）は図７に於けるＡ−Ａ線切断端面図、（２）は同Ｂ−Ｂ線切断端面図、（３）は同Ｃ−Ｃ線切断端面図。
【符号の説明】
１０：筒状体
１０ａ：底壁
１０ｂ：側壁
１１：注射筒挿入用開口部
１２：切欠開口部
１３：ルアーホルダー部
１３ａ：嵌合用凹所
１３ｂ：凹溝
１３ｘ：前方ルアーホルダー部
１３ｙ：後方ルアーホルダー部
１４：切り込み
２０：両刃針
２１：ルアー部
２１ａ：ルアー鍔部
２２：針
２３：針
２５：針キャップ
３０：三方活栓
３１：ルアー部
３１ａ：ルアー鍔部
【図１】
0004268252.tif 000002
【図２】
0004268252.tif 000003
【図３】
0004268252.tif 000004
【図４】
0004268252.tif 000005
【図５】
0004268252.tif 000006
【図６】
0004268252.tif 000007
【図７】
0004268252.tif 000008
【図８】
0004268252.tif 000009